(57)【要約】【課題】  組み立てが容易で、ＣＤに傷を付けることなく抜き差しができ、かつ廃棄時にトレーと容器とを容易に分離できる円盤状の記録媒体収納器を提供する。【解決手段】  円盤状の記録媒体を取り付けるトレーと、トレーを抜き差し自在に保持する収納部とから成る。トレーは、円盤状の記録媒体を取り付ける固定部と、固定部の両端部に連接し、収納部への差し込み時に収納部に保持される差し込み部とを有する。収納部は、板部材と、板部材に貼付され、トレーの抜き差し口および保持部とを形成する枠部材とを有する。収納部は、板部材と、板部材に貼付され、トレーの抜き差し口および保持部とを形成する枠部材とを有する複数の台紙部材を、抜き差し口を相互に対向してトレーの脱落を防止する背と成る連結部材を介して折り曲げ自在に連接して成る。【選択図】    図１
2006137482.tif 000002
【特許請求の範囲】
【請求項１】
円盤状の記録媒体を取り付けるトレーと、
前記トレーを抜き差し自在に保持する収納部と
から成ることを特徴とする円盤状の記録媒体収納器。
【請求項２】
請求項１記載の円盤状の記録媒体収納器において、
前記トレーは、
前記円盤状の記録媒体を取り付ける固定部と、
前記固定部の両端部に連接し、前記収納部への差し込み時に該収納部に保持される差し込み部とを有する
ことを特徴とする円盤状の記録媒体収納器。
【請求項３】
請求項１記載の円盤状の記録媒体収納器において、
前記収納部は、
板部材と、
前記板部材に貼付され、前記トレーの抜き差し口および保持部とを形成する枠部材とを有する
ことを特徴とする円盤状の記録媒体収納器。
【請求項４】
請求項１記載の円盤状の記録媒体収納器において、
前記収納部は、
板部材と、
前記板部材に貼付され、前記トレーの抜き差し口および保持部とを形成する枠部材と
を有する複数の台紙部材を、
前記抜き差し口を相互に対向して前記トレーの脱落を防止する背と成る連結部材を介して折り曲げ自在に連接して成る
ことを特徴とする円盤状の記録媒体収納器。
【請求項５】
請求項４記載の円盤状の記録媒体収納器において、
前記収納部材は、
一側の前記台紙部材において、前記枠部材に形成した前記抜き差し口を両側に設け、
他測の前記台紙部材において、前記一側の台紙部材の側部を覆う背と成る連結部材を折り曲げ自在に連接して成る
ことを特徴とする円盤状の記録媒体収納器。
【請求項６】
請求項１記載の円盤状の記録媒体収納器において、
前記収納部は、
板部材と、前記板部材に貼付され、前記トレーの抜き差し口および保持部とを形成する枠部材とを有する複数の台紙部材を、前記抜き差し口を相互に対向して前記トレーの脱落を防止する背と成る連結部材を介して折り曲げ自在に連接して成る収納部材と、
前記収納部材と同幅の写真取付部と
を背と成る連結部材を介して折り曲げ自在に連接して成る
ことを特徴とする円盤状の記録媒体収納器。
【請求項７】
請求項６記載の円盤状の記録媒体収納器において、
前記収納部材は、
一側の前記台紙部材において、前記枠部材に形成した前記抜き差し口を両側に設け、
前記写真取付部は、
前記背とは反対側の側部において、前記一側の台紙部材の側部を覆う背と成る連結部材を折り曲げ自在に連接して成る
ことを特徴とする円盤状の記録媒体収納器。
【請求項８】
請求項１記載の円盤状の記録媒体収納器において、
前記収納部は、
背と成る連結部材を介して連接する開閉自在な箱と、
前記箱の内壁面に貼付され、前記トレーの抜き差し口および保持部とを形成するとともに該抜き差し口を前記背に向かって形成して成る枠部材とを有する
ことを特徴とする円盤状の記録媒体収納器。
【請求項９】
請求項１記載の円盤状の記録媒体収納器において、
前記収納部は、
背と成る連結部材を介して連接する開閉自在な本と、
前記本の内壁面に貼付され、前記トレーの抜き差し口および保持部とを形成するとともに該抜き差し口を前記背に向かって形成して成る枠部材とを有する
ことを特徴とする円盤状の記録媒体収納器。
【発明の詳細な説明】
【技術分野】
【０００１】
本発明は、ＣＤ、ＤＶＤ、ＭＤなどの円盤状の記録媒体を収容する容器に関する。
【背景技術】
【０００２】
従来、ＣＤ、ＤＶＤ、ＭＤなどの円盤状の記録媒体は、回動自在なプラスティック製の容器内に、円盤状の記録媒体を取り付けるプラスティック製のトレーと一体に組み合わされていた。
また、円盤状の記録媒体を取り付けるトレーを紙製の箱に糊で接着したものも知られている。
【０００３】
さらに、トレーを用いることなく、紙製の容器にＣＤを直に差し込むＣＤケースも知られている（例えば、特許文献１，２参照）。
【特許文献１】特開２０００−１５３８９２号公報
【特許文献２】特開２００４−１９６３７７号公報
【発明の開示】
【発明が解決しようとする課題】
【０００４】
しかしながら、プラスティック製の容器では、廃棄する際に二次公害を招く虞があった。
また、紙製の箱にトレーを接着したものでは、廃棄時にトレーと箱とを分離する作業を必要とする不具合があった。
特許文献１，２のように、トレーを用いず紙製の容器にＣＤを直に差し込むＣＤケースでは、前二者のような不具合が無い点で優れている。しかし、ＣＤを直にＣＤケースに差し込むため、ＣＤの出し入れ時にＣＤに傷を付けるという問題があった。また、ＣＤの保持がトレーに比べて弱いため、ＣＤが不用意に脱落する虞があった。
【０００５】
本発明は斯かる従来の問題点を解決するために為されたもので、その目的は、組み立てが容易で、ＣＤに傷を付けることなく抜き差しができ、かつ廃棄時にトレーと容器とを容易に分離できる円盤状の記録媒体収納器を提供することにある。
【課題を解決するための手段】
【０００６】
請求項１に係る発明は、円盤状の記録媒体を取り付けるトレーと、前記トレーを抜き差し自在に保持する収納部とから成ることを特徴とする。
請求項２に係る発明は、請求項１記載の円盤状の記録媒体収納器において、前記トレーは、前記円盤状の記録媒体を取り付ける固定部と、前記固定部の両端部に連接し、前記収納部への差し込み時に該収納部に保持される差し込み部とを有することを特徴とする。
【０００７】
請求項３に係る発明は、請求項１記載の円盤状の記録媒体収納器において、前記収納部は、板部材と、前記板部材に貼付され、前記トレーの抜き差し口および保持部とを形成する枠部材とを有することを特徴とする。
請求項４に係る発明は、請求項１記載の円盤状の記録媒体収納器において、前記収納部は、板部材と、前記板部材に貼付され、前記トレーの抜き差し口および保持部とを形成する枠部材とを有する複数の台紙部材を、前記抜き差し口を相互に対向して前記トレーの脱落を防止する背と成る連結部材を介して折り曲げ自在に連接して成ることを特徴とする。
【０００８】
請求項５に係る発明は、請求項４記載の円盤状の記録媒体収納器において、前記収納部材は、一側の前記台紙部材において、前記枠部材に形成した前記抜き差し口を両側に設け、他測の前記台紙部材において、前記一側の台紙部材の側部を覆う背と成る連結部材を折り曲げ自在に連接して成ることを特徴とする。
請求項６に係る発明は、請求項１記載の円盤状の記録媒体収納器において、前記収納部は、板部材と、前記板部材に貼付され、前記トレーの抜き差し口および保持部とを形成する枠部材とを有する複数の台紙部材を、前記抜き差し口を相互に対向して前記トレーの脱落を防止する背と成る連結部材を介して折り曲げ自在に連接して成る収納部材と、前記収納部材と同幅の写真取付部とを背と成る連結部材を介して折り曲げ自在に連接して成ることを特徴とする。
【０００９】
請求項７に係る発明は、請求項６記載の円盤状の記録媒体収納器において、前記収納部材は、一側の前記台紙部材において、前記枠部材に形成した前記抜き差し口を両側に設け、前記写真取付部は、前記背とは反対側の側部において、前記一側の台紙部材の側部を覆う背と成る連結部材を折り曲げ自在に連接して成ることを特徴とする。
請求項８に係る発明は、請求項１記載の円盤状の記録媒体収納器において、前記収納部は、背と成る連結部材を介して連接する開閉自在な箱と、前記箱の内壁面に貼付され、前記トレーの抜き差し口および保持部とを形成するとともに該抜き差し口を前記背に向かって形成して成る枠部材とを有することを特徴とする。
【００１０】
請求項９に係る発明は、請求項１記載の円盤状の記録媒体収納器において、前記収納部は、背と成る連結部材を介して連接する開閉自在な本と、前記本の内壁面に貼付され、前記トレーの抜き差し口および保持部とを形成するとともに該抜き差し口を前記背に向かって形成して成る枠部材とを有することを特徴とする。
【発明の効果】
【００１１】
本発明によれば、トレーとこのトレーを抜き差しする収納部とで構成したので、組み立てが容易である。
また、本発明によれば、ＣＤはトレーに取り付けた状態で収納部に抜き差しされるため、ＣＤに傷を付けることなく抜き差しできる。
さらに本発明によれば、トレーと収納部とは容易に分離できるので、廃棄時にトレーと容器とを分別できる。
【発明を実施するための最良の形態】
【００１２】
以下、本発明を図面に示す実施形態に基づいて説明する。
図１〜図３は、本発明の第一実施形態に係る円盤状の記録媒体収納器１０を示す（請求項１，２，３に対応する）。
本実施形態に係る円盤状の記録媒体収納器１０は、円盤状の記録媒体１２を取り付けるプラスティック製または紙製のトレー１１と、トレー１１を抜き差し自在に保持する紙製の収納部１５とから成る。
【００１３】
トレー１１は、縦長の矩形状を為し、その中央部に円盤状の記録媒体１２を取り付ける固定部１３を設け、固定部１３の中心部には、円盤状の記録媒体１２の中心に設けた穴１２ａを係止する円柱形状のボス１３ａを設けている。固定部１３には、トレー１１の長手方向を通る中心線に対して２つの円弧形状のブロック１３ｂを対称に設けている。２つの円弧形状のブロック１３ｂは、円盤状の記録媒体１２の肉厚よりも高く形成されている。従って、固定部１３に円盤状の記録媒体１２を取り付けた時には、円盤状の記録媒体１２が２つの円弧形状のブロック１３ｂよりも低い位置に納まり、２つの円弧形状のブロック１３ｂより突出することがない。また、２つの円弧形状のブロック１３ｂの中間点には、２つの補助ブロック１３ｃを設けている。２つの補助ブロック１３ｃは、トレー１１の長手方向を通る中心線上に位置するとともに、円盤状の記録媒体１２の外側に位置する輪郭線上に位置する。
【００１４】
また、トレー１１は、固定部１３の両端部に連接し、収納部１５への差し込み時に収納部１５に保持される差し込み部１４とを有する。差し込み部１４は、収納部１５内に差し込まれた時に、トレー１１が収納部１５の内壁面によって保持されるだけの幅と長さとを有する。従って、差し込み部１４の幅と長さとは、本実施形態の使用目的、用途などに応じて適宜変更することは可能である。
【００１５】
一方、収納部１５は、板紙から成る板部材１６と、板部材１６に貼付され、トレー１１の抜き差し口１８および保持部１９とを形成する紙製の枠部材１７とを有する。板部材１６は、目的に応じて任意の形状、色彩、模様を付すことができる。枠部材１７は、コ字型を為し、トレー１１の板厚と同程度の間隔を確保して、三方を接着剤によって板部材１６に貼付している。これによって、図３に示すように、トレー１１の差し込み口１８が形成されるとともに、トレー１１の差し込み部１４を保持する保持部１９が形成される。保持部１９は、トレー１１の案内溝を形成し、その横幅Ｌ３はトレー１１の横幅Ｌ１と同程度または僅かに大きめとされ、その縦幅Ｌ４はトレー１１の縦幅Ｌ２と同程度または僅かに大きめとされている。保持部１９によって形成されるコの字型の空間部１５ａは、トレー１１の固定部１３が露出する領域を形成する。なお、コの字型の空間部１５ａを形成する３つの縁部の内、対向する縁部は、波形形状にしてある。この形状は、花形に模した形状や直線形状や曲線形状などの変化を付与することも可能である。
【００１６】
次に、斯くして構成された本実施形態に係る円盤状の記録媒体収納器１０の作用を説明する。
図２に示すように、固定部１３に円盤状の記録媒体１２を取り付けたトレー１１を、収納部１５の差し込み口１８から矢印方向に差し込む。
トレー１１が収納部１５内の収まると、図１に示すように、トレー１１は、固定部１３を収納部１５のコの字型の空間部１５ａに位置し、取り付けられた円盤状の記録媒体１２が露出し、その表面に施された記号、模様、図柄、絵柄などの施しを直視できる。この状態で、円盤状の記録媒体１２は、固定部１３から取り出すことができる。勿論、取り出した円盤状の記録媒体１２を固定部１３に取り付けることができる。また、トレー１１は、固定部１３の両側に位置する差し込み部１４が収納部１５のコの字型の枠部材１７の内壁面と板部材１６との間に形成された案内溝によって保持され、コの字型の空間部１５ａからの飛び出しが抑えられている。また、トレー１１を収納部１５から抜き出すこともできる。
【００１７】
以上のように、本実施形態に係る円盤状の記録媒体収納器１０によれば、トレー１１を台紙を形成する収納部１５に対し、差し込み、抜き出しが自由にできるように構成したから、トレー１１と収納部１５とを個別に作製し、必要時に組み付けることができる。また、円盤状の記録媒体１２は、トレー１１の固定部１３に取り付けるので、円盤状の記録媒体１２の取り付け時、取り外し時に円盤状の記録媒体１２に傷を付ける虞がない。また、トレー１１と収納部１５とを個別に作製したので、廃棄時にトレー１１と収納部１５とを個別に処理することができる。さらに、収納部１５だけを処分し、差し込み部１４に穴を開けて例えばファイルに綴じ込むことができる。すなわち、トレー１１だけを個別に保管することが可能となる。
【００１８】
図４は、本発明の第二実施形態に係る円盤状の記録媒体収納器２０を示す（請求項１，２，３に対応する）。
本実施形態に係る円盤状の記録媒体収納器２０は、枠部材１７を四角形状の開口２２を設けた枠部材２１にするとともに差し込み口１８を枠部材２１の開口２２に連接する差し込み口２３とした点で、本発明の第一実施形態に係る円盤状の記録媒体収納器１０とは相違する。その他の構成は、本発明の第一実施形態に係る円盤状の記録媒体収納器１０と同じであるから、それらの説明は省略する。
【００１９】
収納部２１は、板部材１６と相似形状を為し、トレー１１の板厚と同程度の間隔を確保して、周囲を接着剤によって板部材１６に貼付している。トレー１１の固定部１３を露出する四角形状の開口２２を設けている。開口２２の一側には、開口２２の一側に沿って長手方向に切り込まれた切り込み２４を設けている。開口２２の一側とその両側から長手方向に伸びる切り込み２４，２５とで差し込み口２３を構成している。
これによって、トレー１１の差し込み部１４を保持する保持部２６が形成される。保持部２６は、トレー１１の案内溝を形成し、その横幅Ｌ５はトレー１１の横幅Ｌ１と同程度または僅かに大きめとされ、その縦幅Ｌ６はトレー１１の縦幅Ｌ２と同程度または僅かに大きめとされている。保持部２６によって形成される四角形状の空間部２６ａは、トレー１１の固定部１３が露出する領域を形成する。なお、四角形状の空間部２６ａを形成する４つの縁部は、直線形状にしてある。
【００２０】
本実施形態においては、トレー１１を差し込み口２３から差し込む時には、切り込み２４，２５側を起こして差し込み口２３を開いた状態にする。そして、トレー１１の固定部１３を開口２２内に差し込むとともに、固定部１３の両側に位置する差し込み部１４を収納部２１の内壁面内に挿入する。これにより、トレー１１は、固定部１３を収納部２１の開口２２に位置し、取り付けられた円盤状の記録媒体１２が露出し、その表面に施された記号、模様、図柄、絵柄などの施しを直視できる。この状態で、円盤状の記録媒体１２は、固定部１３から取り出すことができる。勿論、取り出した円盤状の記録媒体１２を固定部１３に取り付けることができる。また、トレー１１は、固定部１３の両側に位置する差し込み部１４が収納部２１の四角形状の枠部材２１の内壁面と板部材１６との間に形成された案内溝によって保持され、四角形状の空間部２６ａからの飛び出しが抑えられている。また、トレー１１を収納部１５から抜き出すこともできる。
【００２１】
以上のように、本実施形態に係る円盤状の記録媒体収納器２０によれば、トレー１１を台紙を形成する収納部２１に対し、差し込み、抜き出しが自由にできるように構成したから、トレー１１と収納部２１とを個別に作製し、必要時に組み付けることができる。また、円盤状の記録媒体１２は、トレー１１の固定部１３に取り付けるので、円盤状の記録媒体１２の取り付け時、取り外し時に円盤状の記録媒体１２に傷を付ける虞がない。また、トレー１１と収納部２１とを個別に作製したので、廃棄時にトレー１１と収納部２１とを個別に処理することができる。さらに、収納部２１だけを処分し、差し込み部１４に穴を開けて例えばファイルに綴じ込むことができる。すなわち、トレー１１だけを個別に保管することが可能となる。
【００２２】
図５は、本発明の第三実施形態に係る円盤状の記録媒体収納器３０を示す（請求項１，２，３，４に対応する）。
本実施形態に係る円盤状の記録媒体収納器３０は、本発明の第一実施形態に係る円盤状の記録媒体収納器１０ａ，１０ｂを２つ用意し、それぞれの抜き差し口１８を相互に対向してトレー１１の脱落を防止する背と成る連結部材３１を介して折り曲げ自在に連接したものである。
【００２３】
ここでは、２つの円盤状の記録媒体収納器１０ａ，１０ｂとこれらを繋ぐ連結部材３１とを１枚の板部材１６で構成している。そして、連結部材３１には、２本の折り線３２，３３を設け、２つの円盤状の記録媒体収納器１０ａ，１０ｂと連結部材３１との間にみぞが形成できるようにしてある。従って、本実施形態では、１つの台紙部材で構成されている。勿論、本発明の第一実施形態に係る円盤状の記録媒体収納器１０ａ，１０ｂを２つ用意し、これらを連結部材３１によって接合しても良い。
【００２４】
本実施形態に係る円盤状の記録媒体収納器３０によれば、２つの折り線３２，３３を介して２つの円盤状の記録媒体収納器１０ａ，１０ｂを折り曲げて重ね合わせることによって、両者の抜き差し口１８，１８が連結部材３１側に位置するため、２つの円盤状の記録媒体収納器１０ａ，１０ｂに収納されたトレー１１が連結部材３１側に僅かに移動するが、それ以上の移動は連結部材３１により阻止され、トレー１１が円盤状の記録媒体収納器３０から脱落することはない。
【００２５】
本実施形態においても、上述した各実施形態と同様の作用効果を奏することができる。
図６は、本発明の第四実施形態に係る円盤状の記録媒体収納器４０を示す（請求項１，２，３，４，５に対応する）。
本実施形態に係る円盤状の記録媒体収納器４０は、本発明の第三実施形態に係る円盤状の記録媒体収納器３０における一方の円盤状の記録媒体収納器１０ａの抜き差し口１８を両側に設けるとともに、他方の円盤状の記録媒体収納器１０ｂの側部に一方の円盤状の記録媒体収納器１０ａの側部を覆いトレー１１の脱落を防止する背と成る連結部４１を介して折り曲げ自在に連結部材４４を連接したものである。そして、連結部材４１には、２本の折り線４２，４３を設け、他方の円盤状の記録媒体収納器１０ｂと連結部材４１との間にみぞが形成できるようにしてある。また、連結部材４４と一方の円盤状の記録媒体収納器１０ａとには、両者を結合するための留め具（例えば、ホック、マジックテープ（登録商標）など）４５を設けることが望ましい。なお、一方の円盤状の記録媒体収納器１０ａに設ける留め具は省略してある。
【００２６】
本実施形態によれば、トレー１１を一方の円盤状の記録媒体収納器１０ａの両側の何れからも抜き差しすることができるとともに、２つの折り線３２，３３を介して２つの円盤状の記録媒体収納器１０ａ，１０ｂを折り曲げて重ね合わせることによって、第三実施形態に係る円盤状の記録媒体収納器３０と同様にトレー１１の脱落を防止することができる。
【００２７】
なお、連結部材４１は、トレー１１の脱落を防止する機能があれば、その形状は任意である。また、連結部材４４は、一方の円盤状の記録媒体収納器１０ａの側部を全て覆う必要はなく、留め具４５によって係止できれば良い。
図７〜図９は、本発明の第五実施形態に係る円盤状の記録媒体収納器５０を示す（請求項１，２，３，６に対応する）。
【００２８】
本実施形態に係る円盤状の記録媒体収納器５０は、本発明の第三実施形態に係る円盤状の記録媒体収納器３０における他方の円盤状の記録媒体収納器１０ｂの側部に、両方の円盤状の記録媒体収納器１０ａ，１０ｂと同じ大きさの写真取付部５１をトレー１１の脱落を防止する背と成る連結部材５３を介して折り曲げ自在に連接したものである。そして、車輪取付部５１は、額縁形状の枠部材５２を貼付している。また、連結部材５３には、２本の折り線５４，５５を設けている。
【００２９】
本実施形態によれば、例えば、図８、図９に示すように、両方の円盤状の記録媒体収納器１０ａ，１０ｂを折り線３２，３３を介して同一方向に折り曲げた後、抜き差し口１８から円盤状の記録媒体１２を差し込んだり、抜き出したりすることができる。
本実施形態においては、２つの連結部材３１，５３によって両側に背を形成した円盤状の記録媒体を備えたアルバムを得ることができる。
【００３０】
従って、例えば、結婚写真などの写真とＣＤまたはＤＶＤなどの円盤状の記録媒体１２とを一緒に収納することができる。
本実施形態においても、上述した各実施形態と同様の作用効果を奏することができる。
図１０は、本発明の第六実施形態に係る円盤状の記録媒体収納器６０を示す（請求項１，２，３，７に対応する）。
【００３１】
本実施形態に係る円盤状の記録媒体収納器６０は、本発明の第五実施形態に係る円盤状の記録媒体収納器５０における一方の円盤状の記録媒体収納器１０ａの抜き差し口１８を両側に設けるとともに、写真取付部５１の側部に一方の円盤状の記録媒体収納器１０ａの側部を覆いトレー１１の脱落を防止する背と成る連結部６１を介して折り曲げ自在に連結部材７２を連接したものである。そして、連結部材６１には、２本の折り線６２，６３を設け、写真取付部５１と連結部材６１との間にみぞが形成できるようにしてある。また、連結部材６４と一方の円盤状の記録媒体収納器１０ａとには、両者を結合するための留め具（例えば、ホック、マジックテープ（登録商標）など）６５を設けることが望ましい。なお、一方の円盤状の記録媒体収納器１０ａに設ける留め具は省略してある。
【００３２】
本実施形態によれば、トレー１１を一方の円盤状の記録媒体収納器１０ａの両側の何れからも抜き差しすることができるとともに、２つの円盤状の記録媒体収納器１０ａ，１０ｂと写真取付部５１とを重ね合わせるとともに、２つの折り線６２，６３を介して連結部材７４を円盤状の記録媒体収納器１０ａ上に折り曲げて重ね合わせることによって、第五実施形態に係る円盤状の記録媒体収納器５０と同様にトレー１１の脱落を防止することができる。
【００３３】
本実施形態においても、上述した各実施形態と同様の作用効果を奏することができる。
なお、連結部材６１は、トレー１１の脱落を防止する機能があれば、その形状は任意である。また、連結部材６４は、一方の円盤状の記録媒体収納器１０ａの側部を全て覆う必要はなく、留め具６５によって係止できれば良い。
また、写真取付部５１に代えてパンフレット、カタログなどを収容する袋や差し込みとしても良い。
【００３４】
また、２つの円盤状の記録媒体収納器１０ａ，１０ｂを連接する場合について説明したが、両者の間に写真取付部５１を配置しても良い。また、円盤状の記録媒体収納器１０ａ，１０ｂと写真取付部５１の数量は任意であり、目的、用途に応じて任意に変更できる。
図１１は、本発明の第七実施形態に係る円盤状の記録媒体収納器７０を示す（請求項１，２，３，８に対応する）。
【００３５】
本実施形態に係る円盤状の記録媒体収納器７０は、背と成る連結部材７２を折り線７３，７４を介して連接する開閉自在な箱７１の一方の内壁面７１ａに、第一実施形態と同様に枠部材１７を貼付して収納部１５を形成している。
本実施形態においては、収納部１５が箱７１内に収まっているので、収納部１５に収納されたトレー１１は不用意に外部に落下することがなくなり、また箱７１を開くことによって、トレー１１の抜き出しまたは差し込みを行うことができる。勿論、円盤状の記録媒体１２の取り付け、取り外しは収納部１５に差し込まれているトレー１１に対して行うことができる。
【００３６】
本実施形態においても、上述した各実施形態と同様の作用効果を奏することができる。
なお、収納部１５を形成しない箱７１の別の内壁面に、第六実施形態と同様に写真取付部を設けたり、あるいはパンフレット、カタログなどを収容する袋や差し込みを設けたりしても良い。
図１２は、本発明の第八実施形態に係る円盤状の記録媒体収納器８０を示す（請求項１，２，３，８に対応する）。
【００３７】
本実施形態に係る円盤状の記録媒体収納器８０は、背と成る連結部材８２を折り線８３，８４を介して連接する開閉自在な箱８１の内壁面８１ａに、第二実施形態と同様に枠部材１７を貼付して収納部１５を形成している。
本実施形態においては、収納部１５が箱８１内に収まっているので、収納部１５に収納されたトレー１１は不用意に外部に落下することがなくなり、また箱８１を開くことによって、トレー１１の抜き出しまたは差し込みを行うことができる。勿論、円盤状の記録媒体１２の取り付け、取り外しは収納部１５に差し込まれているトレー１１に対して行うことができる。
【００３８】
本実施形態においても、上述した各実施形態と同様の作用効果を奏することができる。
なお、収納部１５を形成しない箱８１の別の内壁面に、第六実施形態と同様に写真取付部を設けたり、あるいはパンフレット、カタログ、書籍などを収容する袋や差し込みを設けたり、またはパンフレット、カタログ、書籍などを貼付しても良い。
図１３は、本発明の第九実施形態に係る円盤状の記録媒体収納器９０を示す（請求項１，２，３，９に対応する）。
【００３９】
本実施形態に係る円盤状の記録媒体収納器９０は、背と成る連結部材９２を折り線９３，９４を介して連接する開閉自在な本９１の表紙裏面９１ａに、第一実施形態と同様に枠部材１７を貼付して収納部１５を形成している。
本実施形態においては、収納部１５が本９１の表紙裏面９１ａに収まっているので、収納部１５に収納されたトレー１１は不用意に外部に落下することがなくなり、また本９１を開くことによって、トレー１１の抜き出しまたは差し込みを行うことができる。勿論、円盤状の記録媒体１２の取り付け、取り外しは収納部１５に差し込まれているトレー１１に対して行うことができる。
【００４０】
本実施形態においても、上述した各実施形態と同様の作用効果を奏することができる。
【産業上の利用可能性】
【００４１】
本発明によれば、ＣＤ、ＤＶＤ、ＭＤなどの円盤状の記録媒体を収容するトレーと収納部とを分離可能であるから、両者を廃棄処分に有毒ガスやダイオキシンなどの発生を抑えた材料により構成しておけば、通常のプラスティック製の容器に比べ、公害の発生を抑えることが可能となる。
また、トレーを綴じ込み可能な形状としてあるので、収納部だけを廃棄処分することとなり、資源の無駄を抑えることが可能となる。
【図面の簡単な説明】
【００４２】
【図１】本発明の第一実施形態に係る円盤状の記録媒体収納器１０を示す平面図である。
【図２】図１における円盤状の記録媒体収納器１０に円盤状の記録媒体１２を差し込む状態を示す平面図である。
【図３】図１における円盤状の記録媒体収納器１０の差し込み口１８を示す側面図である。
【図４】本発明の第二実施形態に係る円盤状の記録媒体収納器２０を示す平面図である。
【図５】本発明の第三実施形態に係る円盤状の記録媒体収納器３０を示す展開図である。
【図６】本発明の第四実施形態に係る円盤状の記録媒体収納器４０を示す展開図である。
【図７】本発明の第五実施形態に係る円盤状の記録媒体収納器５０を示す展開図である。
【図８】図７における円盤状の記録媒体収納器５０の差し込み口１８を示す側面図である。
【図９】図７における円盤状の記録媒体収納器５０の差し込み口１８を示す側面図である。
【図１０】本発明の第六実施形態に係る円盤状の記録媒体収納器６０を示す展開図である。
【図１１】本発明の第七実施形態に係る円盤状の記録媒体収納器７０を示す展開図である。
【図１２】本発明の第八実施形態に係る円盤状の記録媒体収納器８０を示す展開図である。
【図１３】本発明の第九実施形態に係る円盤状の記録媒体収納器９０を示す展開図である。
【符号の説明】
【００４３】
１０，２０，３０，４０，５０，６０，７０，８０，９０  円盤状の記録媒体収納器
１０ａ，１０ｂ  円盤状の記録媒体収納器
１１  トレー
１２  円盤状の記録媒体
１３  固定部
１４  差し込み部
１５  収納部
１５ａ，２６ａ，  空間部
１６  板部材
１７，２１，５２  枠部材
１８，２３  差し込み口
１９，２６  保持部
２２  開口
２４，２５  切り込み
３１，４１，４４，６１，６４，７２，８２  連結部材
５１  写真取付部
７１，８１  箱
９１  本
【図１】
2006137482.tif 000003
【図２】
2006137482.tif 000004
【図３】
2006137482.tif 000005
【図４】
2006137482.tif 000006
【図５】
2006137482.tif 000007
【図６】
2006137482.tif 000008
【図７】
2006137482.tif 000009
【図８】
2006137482.tif 000010
【図９】
2006137482.tif 000011
【図１０】
2006137482.tif 000012
【図１１】
2006137482.tif 000013
【図１２】
2006137482.tif 000014
【図１３】
2006137482.tif 000015